(57)【特許請求の範囲】
【請求項１】
表側の組織が粗で裏側の組織が密になった柔軟性のある薄手の瀘材を、山と谷が交互に中心線の方向に連続し内側が粗で外側が密になるベロー状の環に形成し、この瀘材の中心線方向の両端に可撓性のある枠を装着し、支持させる構造に応じて形を変えることができる換気扇用のフィルタ。
【請求項２】
表側の組織が粗で裏側の組織が密になった柔軟性のある薄手の瀘材を、山と谷が交互に中心線の方向に連続し外側が粗で内側が密になるベロー状の環に形成し、この瀘材の中心線方向の両端に可撓性のある枠を装着し、支持させる構造に応じて形を変えることができる換気扇用のフィルタ。
【請求項３】
請求項１又は請求項２に記載の換気扇用のフィルタであって、枠に伸縮性と気密性を付与したことを特徴とする換気扇用のフィルタ。
【請求項４】
請求項１〜請求項３のいずれかに記載の換気扇用のフィルタであって、瀘材の組織の粗密の方向を示す表示要素を付与したことを特徴とする換気扇用のフィルタ。
【発明の詳細な説明】
【０００１】
【発明の属する技術分野】
本発明は、部屋の外から部屋に空気を取り入れる給気、又は部屋の空気の外部への排気により、部屋の換気を行なう換気扇用のフィルタの分野に属するものである。
【０００２】
【従来の技術】
排気又は給気により部屋の換気を行なう換気扇は、その多くが基本的には部屋の内外を隔てる隔壁に形成された取付孔に対して装着する本体と、この本体の室内側端を被覆する状態に装着するグリルとから構成されている。本体には通風路が形成され、この通風路に給気用又は排気用の送風機が組付けられている。また、グリルは本体の部屋側に装着され、換気扇の実質的な吹出し部又は吸込み部を構成している。
【０００３】
このような基本構造の換気扇に対して従来から種々の工夫が払われてきている。例えば、実公昭６２―１６５８４号公報に示されているように、厨房用の換気扇ではグリルの前面やグリルと本体との間に油煙に含まれるミスト状の油滴を捕集するフィルタが設けられているものが多い。このフィルタは、換気扇の内部が油汚れしないようにするもので、排気する空気を清浄にしようとするものではない。
【０００４】
部屋に外（多くは屋外である）の空気を給気する換気扇にもフィルタが備えられているものがある。この場合のフィルタは部屋に供給する空気の清浄度を上げようとするもので、塵埃を除去する機能を持っている。こうした給気用の換気扇に対するフィルタも、厨房用の換気扇のフィルタと同様の仕方で装着されている。即ち、本体の通風路の出口端か、グリルの内部にシート状のフィルタが交換可能に装着されている。グリルに吹出し方向の異る複数の吹出口を設けたものでは、本体の開口端にフィルタを装着することにより、全ての吹出口から吹出す空気の浄化ができ都合がよい。
【０００５】
【発明が解決しようとする課題】
上記のように換気扇には従来から種々の工夫が為されてきたが、そのなかで、部屋に供給する空気の清浄化の要請は、従来より強くなっている。即ち、外気は必ずしも新鮮であるわけではなく、花粉の飛散時期や塵埃の多い時や場所ではそのまま部屋に外気を給気しても部屋の空気は快適性を喪失してしまう。
【０００６】
本発明は通風方向に方向性を持つ低コストで高性能の形状を自由に変えうる換気扇用のフィルタを開発すること、その換気扇用のフィルタの取付け間違いを防止し、使い易さや機能の向上を推進すること、その換気扇用のフィルタを利用した多方向に吹出口を持つ換気扇を得ることも目的としている。
【０００７】
【課題を解決するための手段】
表側の組織が粗で裏側の組織が密になった柔軟性のある薄手の瀘材を、山と谷が交互に中心線の方向に連続し内側が粗で外側が密になるベロー状の環に形成し、この瀘材の中心線方向の両端に可撓性のある枠を装着し、支持させる構造に応じて形を変えることができる。
【０００８】
表側の組織が粗で裏側の組織が密になった柔軟性のある薄手の瀘材を、山と谷が交互に中心線の方向に連続し外側が粗で内側が密になるベロー状の環に形成し、この瀘材の中心線方向の両端に可撓性のある枠を装着し、支持させる構造に応じて形を変えることができる。
【０００９】
また、枠に伸縮性と気密性を付与する手段を採用する。
【００１０】
さらに、瀘材の組織の粗密の方向を示す表示要素を付与する手段を採用する。
【００１１】
【発明の実施の形態】
以下に本発明の実施の形態を図面に基づいて具体的に説明する。
図１は本発明を実施した換気扇を取付け状態で示した側面図で、図２はそのグリルの分解斜視図である。この換気扇は、部屋１の内外を隔てる隔壁２（側壁や天井壁を含むものである）に形成された取付孔３に対して装着される本体４と、この本体４の部屋１側端を被覆する状態に部屋１側に装着されるグリル５とから構成されている。図１では取付孔３は隔壁２に挿通したパイプ６により構成されているが、枠体などにより構成されていても構わない。
【００１２】
本体４は、通風路を構成するプラスチック製の筒部７に部屋１の外の空気を吸込み、筒部７の部屋１側の開口端から吹出す給気流を形成する送風機８を組み込んだ構成で、筒部７の外周に設けたバネ９の弾性支保機能によりパイプ６内に筒部７を差し込んだ状態に装着される。本体４の取付け手段としては、この後述べるフランジ部１０を隔壁２にネジ締めするようにしても良い。本体４の筒部７の一端（部屋１側の端）には、半径方向に張り出し隔壁２に沿うフランジ部１０が一体成形されている。このフランジ部１０は、図示のものは平面形状が略正方形に形成され、その外周には隔壁２の部屋１側の壁面に端面が当る立上り部１１が全周に形成されている。
【００１３】
グリル５は図２に示すように、本体４のフランジ部１０に外嵌めできる周側１９と前面部２０とからなる有底のほぼ正方形の角形容器としてプラスチックで形成されている。周側１９の高さはフランジ部１０に嵌め合わせた状態でフランジ部１０の前面からその前面部２０が間隔をおいて離反する程度に形成されている。実際には周側１９をあまり高くすると、部屋１側への出っ張りが大きくなり、部屋１の美観を損なうことにもなるので、換気機能に支障のない限りで周側１９は低く構成される。グリル５の四面からなる周側１９には、一面を除く各面に周側１９の立ち方向と直角の方向に長い複数のスリット２１により構成された吹出し方向が互いに異る複数の吹出口２２が形成されている。各吹出口２２はグリル５の入隅部により互いに隔てられている。各吹出口２２を構成するスリット２１は、周側１９の端面から本体４のフランジ部１０の立上り部１１の高さほど後退した位置から等間隔に前面側に向って配列されている。図示のものは、三本の配列となっている。
【００１４】
これらの各吹出口２２にはその背面側にスライドシャッタ２３がそれぞれ一つずつ装着されている。なお、図３では二つのスライドシャッタ２３は省略してある。各スライドシャッタ２３は、吹出口２２と同様の配列のスリット２４を有し、周側１９の裏面に沿ってその立ち方向にスライドできるようにつまみ２５により取付けられている。
【００１５】
グリル５の前面部２０の裏面には、上記したリブ２９の内寄りに複数のリブ３２が形成されている。これらのリブ３２は前面部２０の四箇所のコーナ部とその中間に形成され、各リブ３２の外側面を繋いだ線は本体４の部屋１側の開口端の外周を囲む四角形となっている。このリブ３２とスライドシャッタ２３を保持するリブ２９との間に、帯状に形成したフィルタ３３が嵌め装着されて、一括して各吹出口２２が通風可能に覆われる。
【００１６】
図１のように部屋１の側壁の比較的高所に装着する場合には、吹出口２２の無い面が下になるようにすれば、使用者に直接給気流が当らないようにできる。また、部屋１のコーナ部など直ぐ近くに壁面や換気について障害となるものが存在するような取付け場所では、障害となるものの方向に吹出口２２の無い面を向ければ良い。もっとも、グリル５の各吹出口２２は個別にスライドシャッタ２３の操作で全閉にすることができるので、こうしたグリル５の取付け向きの配慮は重要なことではない。この意味から、グリル５には全ての面に吹出口２２を設けてもなんら問題はない。
【００１７】
送風機に電源を供給すれば、部屋１の外の空気をグリル５の各吹出口２２から三方向へ吹出させ給気することができる。本体４の部屋１側の開口端から吹出した空気は、開口端の全周を囲んでいるグリル５に装着されたフィルタ３３によって塵埃が除去され、吹出口２２から清浄な空気として部屋１に供給される。
【００１８】
なお、フランジ部１０の形状を丸形にすることもでき、これに応じてグリル５も丸形にすることもできる。また、図示したものと直角の方向のスライドシャッタ２３のスライドにより吹出口の開閉をするように構成することも可能である。
【００１９】
この換気扇用のフィルタ３３は、図３に示すように表裏で組織の密度が異る柔軟で薄手の多孔質繊維性シート４０を図４に示すように山と谷が交互に連続するベロー状に形成した表面積の大きい瀘材４１により形成されている。この瀘材４１は、通風方向に方向性を持ち組織が粗の方向から密の方向に空気を通すことにより高性能な瀘過機能を果たすが、これとは逆の方向に空気を通しても所期の機能は果たさない。図５に示すフィルタ３３は、この瀘材４１を幅方向に山と谷が走る帯状に成形し、その長手方向の両端に伸縮性と気密性を持つポリエチレンからなる枠４２を装着した構造である。
【００２０】
フィルタ３３の枠４２はグリル５の装着により本体４のフランジ部１０とグリル５の裏面に密着し、当該部の気密が保持される。従って、シール材等の気密保持部材や気密保持構造は不要である。このフィルタ３３には通風の方向性があり、一見しただけでは表裏の区別がし難いため、方向性を間違えて装着することのないように通風方向を示す表示４３が施されている。この方向性を示す表示４３は図５に示すように枠４２に矢印を付けるか、瀘材４１の表裏を色分けする等の仕方で行なえば良い。図６に示すように換気扇に装着したフィルタ３３は、吹出口２２間を隔てるグリル５の入隅部分で曲がり込むことになり、曲げ部分の瀘材４１の内側は山同士が密接し、他の部分に比べ通気性が低くなるが、この部分の通気性が低くても吹出口２２に対応する部分ではないので問題はなく、むしろこれを利用してグリル５の吹出口２２間の補強構造とすれば好都合である。
【００２１】
図７に示すフィルタ３３は、この瀘材４１を幅方向に山と谷が走る帯状に成形し、その長手方向の両端に伸縮性と気密性を持つポリエチレンからなる枠４２を装着して、端辺同士を結合し環状にした簡単な構造である。即ち、図５のフィルタ３３を予め閉ループにしたものである。フィルタ３３全体は柔軟で可撓性と半径方向への伸縮性もあるので、支持させる構造に応じて角形にも丸形にも自由に形を変えることができる。
【００２２】
このフィルタ３３にも通風の方向性があり、一見しただけでは通風の方向の区別がし難いが、環状の形態をとっていることにより内側と外側が規定され取付け方向を間違えることは殆どないので帯状のものより使い易いものとなる。確認の意味で通風方向を示す表示４３が施されている。内から外へ空気を流す、つまり排気用の換気扇に使う場合は、内側が粗で外側が密になる環とし、外から内側へ空気を流すものに使う場合には、内側が密で外側が粗になる環とする。しかし、実際には全体が柔軟で伸縮性もあるので、メビウスの帯のようにひっくり返して内外を反転させることができ、表示４３も対応することになるので、内側が粗で外側が密になるフィルタ３３はそのまま、ひっくり返して内側が密で外側が粗になるフィルタ３３として用いることができる。
【００２３】
【発明の効果】
通風方向に方向性を持ち取付け方向の間違いの起き難い低コストで高性能なうえ使い易く形状の自由性が高い換気扇用のフィルタが得られる。
【００２４】
通風方向に方向性を持ち取付け方向の間違いの起き難い低コストで高性能なうえ使い易く形状の自由性が高い換気扇用のフィルタが得られる。
【００２５】
また、気密保持機能を付与することができる。
【００２６】
さらに、取付け間違いを確実に防止することができる。
【図面の簡単な説明】
【図１】  実施の形態の換気扇を取付け状態で示した側面図である。
【図２】  図１の換気扇のグリルの分解斜視図である。
【図３】  実施の形態のフイルタの瀘材の組織を示す拡大図である。
【図４】  実施の形態のフイルタの瀘材を示す部分拡大図である。
【図５】  実施の形態のフイルタを示す斜視図である。
【図６】  実施の形態のフイルタを換気扇に装着した状態を示すグリルの背面図である。
【図７】  実施の形態の別の態様のフイルタを示す平面図である。
【符号の説明】
１  部屋
２  隔壁
３  取付孔
４  本体
５  グリル
８  送風機
１０  フランジ部
２２  吹出口（通風口）
２３  スライドシャッタ
２９  リブ
３２  リブ
３３  フィルタ
４１  瀘材
４２  枠
４３  表示
【図１】
0003805281.tif 000002
【図２】
0003805281.tif 000003
【図３】
0003805281.tif 000004
【図４】
0003805281.tif 000005
【図５】
0003805281.tif 000006
【図６】
0003805281.tif 000007
【図７】
0003805281.tif 000008